(57)【要約】【課題】  従来の超音波洗浄装置では、別の周波数の発振信号で駆動するものではなく、構成も複雑であるという問題があった。【解決手段】  超音波振動子１は高さが高い直方体状の圧電体振動子１ａの一面の下部に高さが低い直方体状の圧電体振動子１ｂを一体に構成し、高さが高さ直方体状の圧電体振動子１ａと高さが低い直方体状の圧電体振動子１ｂの間に干渉防止部として、溝１ｃを形成し、高さが高い直方体状の圧電体振動子１ａと高さが低い直方体状の圧電体振動子１ｂが互いに干渉しないように構成し、又、高さが高い直方体状の圧電体振動子１ａの上面に電極１ｄを装着し、高さが低い直方体状の圧電体振動子１ｂの上面に電極１ｅを装着し、超音波振動子１の下面に電極１ｆを装着する。【選択図】図１
2007229586.tif 000002
【特許請求の範囲】
【請求項１】
高さが高い直方体状の圧電体振動子と、該高さが高い直方体状の圧電体振動子の一面の底部近傍に、前記直方体状の圧電体振動子より高さが低い直方体の圧電体振動子を一体に構成し、前記高さが高い直方体状の圧電体振動子と前記高さが低い直方体状の圧電体振動子の間に干渉防止部を形成し、前記高さが高い直方体状の圧電体振動子と前記高さが低い直方体状の圧電体振動子とをそれぞれ異なった周波数で共振させることを特徴とする超音波振動子。
【請求項２】
前記高さが高い直方体状の圧電体振動子と前記高さが低い直方体状の圧電体振動子の間に形成された前記干渉防止部は溝であることを特徴とする請求項１項記載の超音波振動子。
【請求項３】
前記高さが高い直方体状の圧電体振動子と前記高さが低い直方体状の圧電体振動子の間に形成された前記干渉防止部は複数の貫通孔であることを特徴とする請求項１項記載の超音波振動子。
【請求項４】
前記高さが低い第１の圧電体振動子とほぼ同じ形状の高さが低い第２の圧電体振動子を前記高さが高い圧電体振動子を中央にして対向面に形成し、前記高さが高い圧電体振動子と高さの低い第２の圧電体振動子の間に干渉防止部を設けたことを特徴とする請求項１記載の超音波振動子。
【請求項５】
前記高さが高い直方体状の圧電体振動子と前記高さが低い直方体状の第２の圧電体振動子の間に形成された前記干渉防止部は溝であることを特徴とする請求項４項記載の超音波振動子。
【請求項６】
前記高さが高い直方体状の圧電体振動子と前記高さが低い直方体状の第２の圧電体振動子の間に形成された前記干渉防止部は複数の貫通孔であることを特徴とする請求項４項記載の超音波振動子。
【発明の詳細な説明】
【技術分野】
【０００１】
本発明は、高さの高い直方体状の圧電体振動子とその一方の面に形成した高さの低い圧電体振動子をそれぞれ別に駆動するようにした超音波振動子に関するものである。
【背景技術】
【０００２】
従来、圧電体振動子の上に円板状の電極とその周囲にリング状の電極を接着し、円板状の電極とリング状の電極の間に充填剤を埋設した後、圧電体振動子に縦及び横に切れ目を入れて複数個に分割し、円板状の電極及びリング状の電極に発振出力を印加して分割された圧電体振動子を駆動するようにした超音波探触子が提案されている。
【０００３】
しかしながら、このように構成した超音波探触子では、複数の分割された圧電体振動子を単に１つの周波数で駆動しているだけで、分割されたそれぞれの圧電体振動子を別の周波数の発振信号で駆動するものではなく、構成も複雑であるという問題があった。
【特許文献１】特許２９３５５５０号公報
【発明の開示】
【発明が解決しようとする課題】
【０００４】
解決しようとする問題点は、従来の超音波洗浄装置では、別の周波数の発振信号で駆動するものではなく、構成も複雑であるという問題があった。
【課題を解決するための手段】
【０００５】
本発明では、圧電体振動子は高さが高い直方体状に形成され、この高さが高い直方体状の圧電体振動子の一面の底部近傍に一体に構成した直方体状の圧電体振動子は高さが低く構成され、干渉防止部が高さが高い直方体状の圧電体振動子と高さが低い直方体状の圧電体振動子の間に形成され、高さが高い直方体状の圧電体振動子と高さが低い直方体状の圧電体振動子とをそれぞれ異なった周波数で共振させるものである。
【発明の効果】
【０００６】
本発明の超音波振動子では、高さが高い直方体状の圧電体振動子と高さが低い直方体状の圧電体振動子を一体に構成し、高さが高い直方体状の圧電体振動子と高さが低い直方体状の圧電体振動子をそれぞれ独立して機能するように、高さが高い直方体状の圧電体振動子と高さが低い直方体状の圧電体振動子の間に溝又は複数の貫通孔からなる干渉防止部を形成することにより、高さが高い直方体状の圧電体振動子と高さが低い直方体状の圧電体振動子が互いに干渉しないようにし、又、高さが高い直方体状の圧電体振動子と高さが低い直方体状の圧電体振動子が一体に構成されているので、扱い易いという利点がある。
【発明を実施するための最良の形態】
【０００７】
本発明では、高さが高い直方体状の圧電体振動子と高さが低い直方体状の圧電体振動子とを一体に構成し、高さが高い直方体状の圧電体振動子と高さが低い直方体状の圧電体振動子との間に干渉防止部を形成して、高さが高い直方体状の圧電体振動子と高さが低い直方体状の圧電体振動子を違いに干渉しないように構成した。
【実施例】
【０００８】
図１は本発明の実施例の超音波振動子の斜視図で、超音波振動子１は高さが高い直方体状の圧電体振動子１ａの一面の下部に高さが低い直方体状の圧電体振動子１ｂを一体に構成し、高さが高さ直方体状の圧電体振動子１ａと高さが低い直方体状の圧電体振動子１ｂの間に干渉防止部として、溝１ｃを形成し、高さが高い直方体状の圧電体振動子１ａと高さが低い直方体状の圧電体振動子１ｂが互いに干渉しないように構成し、又、高さが高い直方体状の圧電体振動子１ａの上面に電極１ｄを装着し、高さが低い直方体状の圧電体振動子１ｂの上面に電極１ｅを装着し、超音波振動子１の下面に電極１ｆを装着する。
【０００９】
このように構成された本実施例の超音波振動子１では、高さが高い直方体状の圧電体振動子１ａと高さが低い直方体状の圧電体振動子１ｂとの間に溝１ｃを形成して、高さが高い直方体状の圧電体振動子１ａと高さが低い直方体状の圧電体振動子１ｂが互いに干渉しないように構成したので、図示しない周波数の異なった２つの発振器をそれぞれ電極１ｄと１ｆの間及び電極１ｅと１ｆの間に接続し、それぞれ周波数の異なった発振出力を印加すると、圧電体振動子１ａ及びの圧電体振動子から周波数の異なった超音波を発生することができる。
【００１０】
又、図２に示すように、高さが高い直方体状の圧電体振動子１ａと高さが低い直方体状の圧電体振動子１ｂの間に形成した溝１ｃの下から溝１ｇを形成し、溝１ｃと溝１ｇの間に薄い接続部分１ｈを形成することにより、高さが高い直方体状の圧電体振動子１ａと高さが低い直方体状の圧電体振動子１ｂの間の干渉をさらに小さくすることができ、又、図３に示すように、高さが高い直方体状の圧電体振動子１ａと高さが高い直方体状の圧電体振動子１ｂの間の周囲に干渉防止部として、複数個の貫通孔１Ｊを形成しても、同様に、高さが高い直方体状の圧電体振動子１ａと高さが低い直方体状の圧電体振動子１ｂの間の干渉を小さくすることができる。
【００１１】
図４は本発明の他の実施例の超音波振動子の斜視図で、超音波振動子２は中央に高さが高い直方体の圧電体振動子２ａを設け、その両側面の下部近傍に高さが低い直方体状の圧電体振動子２ｂ、２ｃを一体に構成し、高さが高い直方体状の圧電体振動子２ａと高さが低い直方体状の圧電体振動子２ｂ、２ｃの間に干渉防止部として、溝２ｅ、２ｆを形成し、高さが高い直方体状の圧電体振動子２ａと高さが低い直方体状の圧電体振動子２ｂ、２ｃが互いに干渉しないように構成し、又、高さが高い直方体状の圧電体振動子２ａの上面に電極２ｇを装着し、高さが低い直方体状の圧電体振動子２ｂ、２ｃの上面に電極２ｈ、２ｊを装着し、超音波振動子２の下面に電極２ｋを装着する。
【００１２】
このように構成された本実施例の超音波振動子２では、高さが高い直方体状の圧電体振動子２ａと高さが低い直方体状の圧電体振動子２ｂ、２ｃとの間に溝２ｅ、２ｆをそれぞれ形成して、高さが高い直方体状の圧電体振動子２ａと高さが低い直方体状の圧電体振動子２ｂ、２ｃがそれぞれ互いに干渉しないように構成したので、図示しない周波数の異なった３つの発振器をそれぞれ電極２ｇと２ｋの間及び電極２ｈ、２ｊと電極２ｋの間にそれぞれ接続し、それぞれ周波数の異なった発振出力を印加すると、高さが高い直方体状の圧電体振動子２ａ及び高さが低い直方体状の圧電体振動子２ｂ、２ｃからそれぞれ周波数の異なった超音波を発生することができる。
【００１３】
なお、図５に示すように、高さが高い直方体状の圧電体振動子２ａと高さが低い直方体状の圧電体振動子２ｂ、２ｃの間に形成した溝２ｅ、２ｆの下から溝２ｍ、２ｎをそれぞれ形成し、溝２ｅと溝２ｍ及び溝２ｆと溝２ｎの間にそれぞれ薄い接続部分２ｐ、２ｑを形成することにより、高さが高い直方体状の圧電体振動子２ａと高さが低い直方体板状の圧電体振動子２ｂ、２ｃの間の干渉をそれぞれさらに小さくすることができ、又、図６に示すように、高さが高い直方体状の圧電体振動子２ａと高さが低い直方体状の圧電体振動子２ｂ、２ｃの間の干渉防止部として、複数個の貫通孔２ｒ、２ｓを形成しても、同様に、高さが高い直方体状の圧電体振動子２ａと高さが低い直方体状の圧電体振動子２ｂ、２ｃの間の干渉をそれぞれ小さくすることができる。
【産業上の利用可能性】
【００１４】
なお、上記実施例では、高さが高い直方体状の圧電体振動子２ａと高さが低い直方体状の圧電体振動子２ｂ、２ｃを一体に形成して、３つの圧電体振動子２ａ、２ｂ、２ｃの間に溝２ｄ、２ｅ又は貫通孔２ｒ、２ｓを形成し、３つの圧電体振動子２ａと２ｂ又は２ｃの間の干渉を小さくするようにしたが、高さが高い直方体板状の圧電体振動子２ａ、高さが低い直方体状の圧電体振動子２ｂ、２ｃをそれぞれ立方体に構成してもよい。
【図面の簡単な説明】
【００１５】
【図１】本発明の実施例の超音波振動子の斜視図である。
【図２】本発明の他の実施例の超音波振動子の斜視図である。
【図３】本発明の他の実施例の超音波振動子の斜視図である。
【図４】本発明のさらに他の実施例の超音波振動子の斜視図である。
【図５】本発明の他の実施例の超音波振動子の斜視図である。
【図６】本発明の他の実施例の超音波振動子の斜視図である。
【００１６】
１                超音波振動子
１ａ              直方体状の圧電体振動子
１ｂ、１ｃ        直方体状の圧電体振動子
１ｄ              溝
１ｅ、１ｆ、１ｇ  電極
１ｊ              貫通孔
２                超音波振動子
２ａ              直方体状の圧電体振動子
２ｂ、２ｃ        直方体状の圧電体振動子
２ｅ、２ｆ        溝
２ｇ、２ｈ、２ｊ  電極
２ｊ              電極
２ｍ、２ｎ        溝
２ｒ、２ｓ        貫通孔
【図１】
2007229586.tif 000003
【図２】
2007229586.tif 000004
【図３】
2007229586.tif 000005
【図４】
2007229586.tif 000006
【図５】
2007229586.tif 000007
【図６】
2007229586.tif 000008